(57)【要約】【課題】  電源の切り忘れを防止でき、テレビジョン受像機の音量及び映像の明るさの変化に伴う睡眠の妨げとなる要因を軽減するテレビジョン受像機を提供する。【解決手段】  テレビジョン受像機１に、明るさを検知する光センサー４、光センサー４により周囲が暗くなったと検出された時に、設定時間に電源をオフにする電源切替手段１１、光センサー４が所定の暗さを検出し電源切替手段１１の動作設定される時から電源がオフされるまでの間に音量を時間の経過により低下させる音量調節手段１３、表示部２の明るさを時間の経過により低下させる映像処理手段１２を備える。光センサー４が周囲の明るさを暗くなったと検出し、電源が所定の時間に電源をオフするよう自動的に動作設定されると、音量及び表示部２の明るさが、電源がオフされるまでの間段階的に低下されていくので睡眠の妨げが軽減される。【選択図】    図２
2006129047.tif 000002
【特許請求の範囲】
【請求項１】
周囲の明るさを検知する光センサーと、この光センサーにより周囲が暗くなったと検出された時に、動作設定されあらかじめ設定した時間に電源をオフにする電源切替手段とを備えたテレビジョン受像機において、前記光センサーが所定の暗さを検出し前記電源切替手段の動作設定される時から電源がオフされるまでの間に、前記音量を時間の経過により段階的に低下させる音量調節手段と、映像を表示する表示部の明るさを時間の経過により段階的に低下させる映像処理手段とを備えていることを特徴とするテレビジョン受像機。
【請求項２】
前記映像処理手段、前記音量調節手段、及び前記電源切替手段とを有する制御手段に、記憶手段を接続させ、この記憶手段に前記光センサーの所定の暗さを検出する明るさ検出値をあらかじめ記憶させ、この記憶された明るさ検出値に基づいて、前記光センサーが周囲の暗さを検出し、前記電源切替手段が動作設定されることを特徴とする請求項１記載のテレビジョン受像機。
【請求項３】
前記テレビジョン受像機の前部、両側部、及び上部に前記光センサーを設け、これら複数配置された光センサーの検出値を入力電圧平均回路で平均させ、その平均値に基づいて前記電源切替手段が動作設定されることを特徴とする請求項２記載のテレビジョン受像機。
【請求項４】
前記音量調節手段により音量を時間の経過により段階的に低下される電源切替手段の動作設定時からの経過時間後における音量設定値をｖ１とし、電源切替手段の動作設定時における音量設定値をｖ、電源切替手段の動作設定時から電源がオフされるまでの設定時間をｔ、電源切替手段の動作設定時からの経過時間をｔ１としたときに、ｖ１が、次の数式により算出されることを特徴とする請求項１〜３の何れか１項に記載のテレビジョン受像機。
【数１】
2006129047.tif 000010
【請求項５】
前記映像処理手段により表示部の明るさを時間の経過により段階的に低下させる電源切替手段の動作設定時からの経過時間後における明るさ設定値をｂ１とし、電源切替手段の動作設定時における明るさ設定値をｂ、設定時間ｔ／２からの経過時間をｔ２としたときに、ｂ１が、次の数式により算出されることを特徴とする請求項４記載のテレビジョン受像機。
【数２】
2006129047.tif 000011
【発明の詳細な説明】
【技術分野】
【０００１】
本発明は、あらかじめ設定した時間に電源がオフされるテレビジョン受像機に関する。
【背景技術】
【０００２】
従来、テレビジョン受像機等の電子機器には、電源の切り忘れを防止する為に、あらかじめ選定された時間に電源をオフするオフタイマーやスリープタイマーなどの機能を有するものが用いられている。
【０００３】
特許文献１には、テレビジョン受像機などのタイマー装置において、周囲の明るさを検知させ、周囲が暗くなったことが検出された時に、スリープタイマーが設定されているか否かに関係なく、スリープタイマーを自動的に動作させ電源をオフにするタイマー装置が提案されており、また、特許文献２には、オンタイマー／オフタイマーを設定した時点で、不揮発性メモリーに記憶している内容で音量を調節する映像・音響機器が提案されている。
【０００４】
【特許文献１】特開２００１−１０８７７２号公報
【特許文献２】特開２００４−５６２９８号公報
【発明の開示】
【発明が解決しようとする課題】
【０００５】
しかし、上記特許文献１においては、テレビジョン受像機等の電源の切り忘れを防止することはできるものの、検出手段であるセンサが周囲の明るさを検出する際、周囲の明るさというのは、例えばユーザーの部屋に設置された蛍光灯などの種類などにより、その周囲環境が多様であることから、比較的暗い部屋、或いは極端に明るい部屋等にタイマー装置を設置するとなると、センサが、その部屋の明暗によりユーザーの希望通りに正常に動作しない虞がある。しかも、テレビジョン受像機は、一般的に部屋の壁際や隅に配置されることが一般的であり、明るさを検知するセンサの取り付け位置如何によってはその明るさが異なることから、センサが誤動作する可能性があり、また、センサによりスリープタイマーが動作されたとしても、音量を小さくしたり、画面の表示部の明るさが調整されるわけではないので、それらが睡眠の妨げになる可能性がある。
【０００６】
また、特許文献２には、睡眠をし易くする為に、オフタイマー機能によって、オフタイマーの設定直後から電源がオフされるまでの間、ユーザーの好みの音量となるよう、音量を小さくすることが可能な映像・音響機器が提案されている。しかし、映像・音響機器が、例えばテレビジョン受像機であれば、オフタイマーを設定した直後に、単に音量を小さくするのみでは、ユーザーが映像を見ながら睡眠状態に入ろうと目を閉じた際にテレビジョン受像機に映し出される映像の変化に伴う明るさの変動が影響し、眠りにつき難く睡眠の妨げになってしまうといった課題を有する。
【０００７】
本発明は、上記課題を鑑みてなされたもので、テレビジョン受像機のスリープタイマーなどの電源をオフにする機能を睡眠前に忘れることなく自動的に設定させ電源の切り忘れを防止すると共に、電源をオフにする設定後におけるテレビジョン受像機の音量及び映像の明るさの変化に伴う睡眠の妨げとなる要因を可及的軽減したテレビジョン受像機を提供することを目的とする。
【課題を解決するための手段】
【０００８】
本発明の請求項１のテレビジョン受像機は、周囲の明るさを検知する光センサーと、この光センサーにより周囲が暗くなったと検出された時に、動作設定されあらかじめ設定した時間に電源をオフにする電源切替手段とを備えたテレビジョン受像機において、前記光センサーが所定の暗さを検出し前記電源切替手段の動作設定される時から電源がオフされるまでの間に、前記音量を時間の経過により段階的に低下させる音量調節手段と、映像を表示する表示部の明るさを時間の経過により段階的に低下させる映像処理手段とを備えていることを特徴とする。
【０００９】
請求項１の構成により、光センサーが周囲の明るさを暗くなったと検出され、電源が電源切替手段により所定の時間に電源をオフするよう自動的に動作設定されると、テレビジョン受像機の音量及び表示部の明るさが、電源がオフされるまでの間、段階的に低下されていく。従って、周囲が暗くなったときに、電源をオフにする煩わしい設定をすることなく電源がオフされるので電源の切り忘れを防止でき、且つ、明るさ及び音量の調整をすることなく、睡眠の妨げとなる音量及び明るさの変化に伴う睡眠の妨げを可及的軽減した状態で睡眠に入ることができる。
【００１０】
本発明の請求項２のテレビジョン受像機は、請求項１記載のテレビジョン受像機において、前記映像処理手段、前記音量調節手段、及び前記電源切替手段とを有する制御手段に、記憶手段を接続させ、この記憶手段に前記光センサーの所定の暗さを検出する明るさ検出値をあらかじめ記憶させ、この記憶された明るさ検出値に基づいて、前記光センサーが周囲の暗さを検出し、前記電源切替手段が動作設定されることを特徴とする。
【００１１】
請求項２の構成により、電源切替手段が動作設定される際の暗さを記憶手段に記憶させることにより、テレビジョン受像機の配置される周囲の明るさ環境などに対応させ、所望の暗さで電源をオフにすることが可能となる。
【００１２】
本発明の請求項３のテレビジョン受像機は、請求項２記載のテレビジョン受像機において、前記テレビジョン受像機の前部、両側部、及び上部に前記光センサーを設け、これら複数配置された光センサーの検出値を入力電圧平均回路で平均させ、その平均値に基づいて前記電源切替手段が動作設定されることを特徴とする。
【００１３】
請求項３の構成により、電源切替手段が複数設けられた光センサーの平均値により動作設定されるので、部屋の壁際や隅に配置されたテレビジョン受像機の周囲の明るさに変化があったとしても、誤動作することなく電源切替手段を動作設定させ電源をオフにすることが可能となる。
【００１４】
本発明の請求項４のテレビジョン受像機は、請求項１〜３の何れか１項に記載のテレビジョン受像機において、前記音量調節手段により音量を時間の経過により段階的に低下される電源切替手段の動作設定時からの経過時間後における音量設定値をｖ１とし、電源切替手段の動作設定時における音量設定値をｖ、電源切替手段の動作設定時から電源がオフされるまでの設定時間をｔ、電源切替手段の動作設定時からの経過時間をｔ１としたときに、ｖ１が、次の数式により算出されることを特徴とする。
【００１５】
【数１】
2006129047.tif 000003
【００１６】
請求項４の構成により、テレビジョン受像機の音量が、電源がオフされるまでの間、数式１により算出され時間の経過に伴い低下されていく。従って、睡眠の妨げとなる音量の変化に伴う睡眠の妨げ要因を軽減させながら睡眠につくことができる。
【００１７】
本発明の請求項５のテレビジョン受像機は、請求項４記載のテレビジョン受像機において、前記映像処理手段により表示部の明るさを時間の経過により段階的に低下させる電源切替手段の動作設定時からの経過時間後における明るさ設定値をｂ１とし、電源切替手段の動作設定時における明るさ設定値をｂ、設定時間ｔ／２からの経過時間をｔ２としたときに、ｂ１が、次の数式により算出されることを特徴とする。
【００１８】
【数２】
2006129047.tif 000004
【００１９】
請求項５の構成により、表示部の明るさが、電源がオフされるまでの間、数式２により算出され時間の経過に伴い低下されていく。従って、睡眠の妨げとなる明るさの変化に伴う睡眠の妨げ要因を軽減させながら睡眠につくことができる。
【発明の効果】
【００２０】
本発明の請求項１のテレビジョン受像機によれば、周囲の明るさを検知する光センサーと、この光センサーにより周囲が暗くなったと検出された時に、動作設定されあらかじめ設定した時間に電源をオフにする電源切替手段とを備えたテレビジョン受像機において、前記光センサーが所定の暗さを検出し前記電源切替手段の動作設定される時から電源がオフされるまでの間に、前記音量を時間の経過により段階的に低下させる音量調節手段と、映像を表示する表示部の明るさを時間の経過により段階的に低下させる映像処理手段とを備えているものであり、電源の切り忘れを防止できるので電力の無駄な消費がなくなり省エネルギー化を図ることができるとともに安全面での問題も解消し、且つ睡眠の妨げを可及的軽減することができる。
【００２１】
本発明の請求項２のテレビジョン受像機によれば、請求項１記載のテレビジョン受像機において、前記映像処理手段、前記音量調節手段、及び前記電源切替手段とを有する制御手段に、記憶手段を接続させ、この記憶手段に前記光センサーの所定の暗さを検出する明るさ検出値をあらかじめ記憶させ、この記憶された明るさ検出値に基づいて、前記光センサーが周囲の暗さを検出し、前記電源切替手段が動作設定されるものであり、所望の明るさでテレビジョン受像機の電源をオフにすることが可能となる。
【００２２】
本発明の請求項３のテレビジョン受像機によれば、請求項２記載のテレビジョン受像機において、前記テレビジョン受像機の前部、両側部、及び上部に前記光センサーを設け、これら複数配置された光センサーの検出値を入力電圧平均回路で平均させ、その平均値に基づいて前記電源切替手段が動作設定されるものであり、周囲の明るさに変化があっても正常に電源をオフにすることが可能となる。
【００２３】
本発明の請求項４のテレビジョン受像機によれば、請求項１〜３記載の何れか１項に記載のテレビジョン受像機において、前記音量調節手段により音量を時間の経過により段階的に低下される電源切替手段の動作設定時からの経過時間後における音量設定値をｖ１とし、電源切替手段の動作設定時における音量設定値をｖ、電源切替手段の動作設定時から電源がオフされるまでの設定時間をｔ、電源切替手段の動作設定時からの経過時間をｔ１としたときに、ｖ１が、次の数式により算出される。
【００２４】
【数１】
2006129047.tif 000005
【００２５】
従って、睡眠の妨げとなる音量の変化に伴う睡眠の妨げ要因を軽減した状態で睡眠に入ることができ、睡眠途中に目が覚めることを抑えることができる。
【００２６】
本発明の請求項５のテレビジョン受像機によれば、請求項４に記載のテレビジョン受像機において、前記映像処理手段により表示部の明るさを時間の経過により段階的に低下させる電源切替手段の動作設定時からの経過時間後における明るさ設定値をｂ１とし、電源切替手段の動作設定時における明るさ設定値をｂ、設定時間ｔ／２からの経過時間をｔ２としたときに、ｂ１が、次の数式により算出される。
【００２７】
【数２】
2006129047.tif 000006
【００２８】
従って、睡眠の妨げとなる明るさの変化に伴う睡眠の妨げ要因を軽減した状態で睡眠に入ることができ、睡眠途中に目が覚めることを抑えることができる。
【発明を実施するための最良の形態】
【００２９】
以下、図１〜図７を参照しながら、本発明を実施するための最良の形態としての実施例を説明する。
【００３０】
図１は本発明の一実施例のテレビジョン受像機の斜視図であり、同図に示すように、テレビジョン受像機１の全体形状は略箱型に形成されており、その前面部中央には映像を表示する表示部２が配置されている。そして、テレビジョン受像機１のキャビネット３には、その前部、上部、両側部に光センサー４が設けられている。
【００３１】
図２はテレビジョン受像機の概略構成を示すブロック図である。テレビジョン受像機１には、前述した複数の光センサー４が設けられ、これら光センサー４から入力電圧平均回路５に入力される入力電圧が、入力電圧平均回路５により平均化され、その平均値をＡ／Ｄ変換器６でデジタル信号に変換された後に制御手段たるマイコン７に出力される。そして、マイコン７に出力された平均値が、マイコン７と接続された記憶手段たるメモリー８にデータとして記憶されるようになっている。
【００３２】
テレビジョン受像機１には、マイコン７からの出力信号が入力されるクロマＩＣなどの映像信号処理手段１０を備えており、この映像信号処理手段１０により表示部２に映像をオンスクリーン表示させる。なお、マイコン７は、時間を計時してテレビジョン受像機１の電源をオフにするいわゆるスリープタイマー機能としてのオフタイマー機能を有し、より詳しくは、マイコン７の電源切替手段１１が、動作設定されるとあらかじめ設定した時間に電源ブロック９に電源をオフにする信号を出力することで、テレビジョン受像機１の電源がオフされるように構成されている。
【００３３】
マイコン７には、光センサー４が周囲の所定の暗さを検出した時、電源切替手段１１が動作設定され、この時からテレビジョン受像機１の電源がオフされるまでの間に、表示部２の明るさを時間の経過により段階的に低下させる映像処理手段１２、スピーカー１４から出力される音声の音量を時間の経過により段階的に低下させる音量調節手段１３などを有する。なお、テレビジョン受像機１を遠隔操作可能なリモコン２０の操作キー２１の操作により、表示部２にメニュー画面を表示させ、それを見ながら操作キー２１により所定の操作設定を行うことで、表示部２の明るさを低下させる時の基準となる電源切替手段の動作設定時における明るさ設定値（ｂ）、音量調節手段の音量を低下させる時の基準となる電源切替手段の動作設定時における音量設定値（ｖ）などの数値をデータとしてメモリー８に記憶することができ、メモリー８に記憶された明るさ設定値（ｂ）、音量設定値（ｖ）を後述する数式１，２により計算されることで、映像処理手段１１が表示部２の明るさを段階的に低下させ、且つ、メモリー８に記憶された音量設定値（ｖ）に基づいて音量調節手段１２はテレビジョン受像機１のスピーカー１４から出力される音量を段階的に低下させることができる。
【００３４】
次に、テレビジョン受像機の操作手順について説明する。図３は操作キー２を操作して表示部２に表示された「自動おやすみタイマー設定」のメニュー画面３０であり、操作キー２１を操作して、電源をオフにする電源切替手段１１の動作設定を、このメニュー画面３０にて動作設定することができる。その操作手順としては、「自動おやすみ」にて、ここで入／切のうち、「切」を操作キー２１にて選択した場合には、オフタイマー機能としての電源切替手段１１は動作設定される。
【００３５】
また、メニュー画面３０にて、「時間設定」を「２２：００」、「２時間」に設定した際には、２２：００を経過後に、所定時間（２時間）の間に、リモコン２０に複数設けられている操作キー２１の操作が何ら操作されなければ、自動的にオフタイマー機能としての電源切替手段１１が動作設定され、テレビジョン受像機１の電源がオフされるまでの間のオフタイマー機能の動作中に、例えば、「ＯＳＤ表示間隔」を「１０秒間／１０分」に設定した際には、１０分の所定時間間隔で１０秒間ずつオフタイマー機能が動作状態であることが表示部２にＯＳＤ（オンスクリーンディスプレー）表示される。
【００３６】
図４は、操作キー２１に含まれるメニューキー２１ａの操作によって表示部２に表示された明るさセンサー設定画面３１である。メニューキー２１ａを操作して明るさセンサー設定画面３１を表示部２に表示させ、表示部２の明るさの明暗のレベル調整は、リモコン２０の操作キー２１に含まれるＥＮＴＥＲキー２１ｂを繰り返し押すことで、ユーザーが、光センサー４による周囲が暗くなったと検出される時の明るさの基準レベルを適宜調整し、メモリー８にデータとして記憶することができる。
【００３７】
図５はオフタイマー機能としての電源切替手段１１の動作設定状態時に、表示部２に「おやすみタイマー実行中」がオンスクリーン表示された表示画面３２の表示例を示すもので、電源切替手段１１が動作設定されている時には、図５に示すように、表示部２の上部隅部に「自動」の文字が表示されると共に、下部隅部には「おやすみ」、「タイマー８０」が表示される。なお、前記「タイマー８０」の「８０」は、テレビジョン受像機１の電源がオフされるまでの残り時間である。
【００３８】
図６はテレビジョン受像機の電源切替手段の動作設定時から電源のオフされるまでの時間経過に伴う音量（ボリューム）、及び表示部２の明るさ、コントラスト（明暗）の映像を段階的に低下させる際の音量／映像処理方法を示す説明図である。なお、音量、明るさ等の設定値の数値は、その数値が大きい程音量が大きく、明るさは明るくなるものである。
【００３９】
音声処理方法については、電源切替手段１１の動作設定時、すなわち、オフタイマー機能としての電源切替手段１１が動作設定された時間と現在の音量設定値又は音量設定値の平均値を求め、経過時間毎に電源切替手段１１の動作設定時の音量設定値ｖより段階的に音量を小さくするために、以下に示す数式１により、電源切替手段１１の動作設定時からの経過時間後における音量設定値ｖ１の計算が音量調節手段１３により行われる。
【００４０】
【数１】
2006129047.tif 000007
【００４１】
なお、ｖ１は電源切替手段１１の動作設定時からの経過時間後における音量設定値、ｖは電源切替手段１１の動作設定時の音量設定値、ｔは電源切替手段１１の動作設定時から電源がオフされるまでの設定時間、ｔ１は電源切替手段１１の動作設定時からの経過時間とする。
【００４２】
例えば、ユーザーが音量設定値ｖを３０で視聴していた際の１時間後の音量は、前記数式１に代入すると、３０−（３０／２）×１であるから、音量は半分の１５となる。
【００４３】
また、映像処理方法については電源切替手段１１の動作設定時の最初から明るさとしてのブライト（ＢＲＩＧＨＴ）を段階的に低下する様、制御すると表示部２の表示画面自体が黒くつぶれ不快感が出る為、ブライト（ＢＲＩＧＨＴ）に関しては、数式２により、電源切替手段１１の動作設定時からの経過時間後における明るさ設定値ｂ１の計算が音量調節手段１３により行われる。つまり、電源切替手段１１の動作設定時から１時間経過後より映像の明るさを段階的に暗くする映像処理を映像処理手段１２が開始する。
【００４４】
【数２】
2006129047.tif 000008
【００４５】
なお、ｂ１は電源切替手段１１の動作設定時からの経過時間後における明るさ（ブライト）設定値、ｂは電源切替手段１１の動作設定時の明るさ設定値、ｔ２は設定時間ｔ／２からの経過時間とする。
【００４６】
また、表示部２のコントラスト（ＣＯＮＴＲＡＳＴ）に関しては、前記音量処理方法と同様に、電源切替手段１１の動作設定時、すなわち、オフタイマー機能としての電源切替手段１１が設定された時間ｔと現在のコントラスト設定値の平均値を求め、経過時間毎に最初に設定したコントラスト設定値より段階的に少なくするもので、数式３による経過時間後におけるコントラスト設定値ｃ１の計算がマイコン７により行われ、このマイコン７が表示部２のコントラストを段階的に低下させる。
【００４７】
【数３】
2006129047.tif 000009
【００４８】
なお、ｃ１は電源切替手段１１の動作設定時からの経過時間後におけるコントラスト設定値、ｃは電源切替手段１１の動作設定時のコントラスト設定値とする。
【００４９】
また、例えば１０分おきなどの所定の間隔で、表示部２に電源がオフされるまでの残量時間表示を行うことができ、リモコン２０の操作キー２１による操作が何も無ければ上記処理は中止されることなく継続され、一方、電源をオフにする時間などの変更や音量調整やメニュー調整などの何からの操作が操作キー２１により行われた時には、電源切替手段１１の動作設定は不快感があったと判断し元の設定値に戻り中止される。そして、元に戻してから再度、残量時間に対しての処理を行うが、スリープ残量時間が３０分未満であれば、分刻みの急激な変化となる為、この処理は行わない。なお、リモコンの操作キー２１などにより、テレビジョン受像機のチャンネル切換えがあった時には、処理は継続される。
【００５０】
次に、図７に示すフローチャート図を参照しながらさらに説明する。光センサー４の感度が所定の設定以下になり周囲の明るさを所定の暗さになったと検出すると（ステップ１）、オフタイマー機能としての電源切替手段１１が自動的に動作設定される（ステップ２）。この時、電源切替手段１１が動作設定されない時には、その処理はここで中止される（ステップ３）。また、ステップ２にて電源切替手段１１が動作設定された際に、オフタイマー機能としての電源切替手段１１が実行され（ステップ４）、設定時間／２を計算し（ステップ５）、ここで「ＮＯ」であれば、マイコン７が数式１，数式２を計算しステップ５に戻る。一方、「ＹＥＳ」であれば、マイコン７が数式１，数式２，数式３を計算（ステップ６，７，８）し、電源がオフされるまでの間に操作キー２１の操作が何らない時（ステップ１１）には、タイムアップとなり電源が所定の時間にオフされる（ステップ１１，１２，１３）。なお、ステップ１２にてタイムアップされなかった際にはステップ５に戻る。
【００５１】
また、ステップ１４にて、ユーザーにより、例えば、音量を調整するなどの操作キー２１やメニューキー２１ａの操作（ステップ１４）がなければ、ステップ１１に移行し、一方、操作があった場合には、電源がオフされるまでの残量時間が３０分以下であれば（ステップ１５）、数式１，２，３によって段階的に低下された音量／明るさ／コントラストの値が元の値に戻り（ステップ１６）、通常動作処理が継続される。
【００５２】
また、ステップ１５にて電源がオフされるまでの残量時間が３０分以下でない場合には、その残量時間に基づいて、ステップ６，７，８と同様の手順にて処理され（ステップ１８）、ステップ１９にて操作キー２１の操作が何らなければ、ステップ１２に戻り、一方、操作キー２１の操作があった際には、ステップ１５に戻ることとなる。
【００５３】
このようにして、テレビジョン受像機１の電源が所定の時間にオフされるように自動的に設定されると、その設定された時間から電源がオフされるまでの間の、スピーカー１４から出力される音量、表示部２の映像の明るさ、コントラストが、数式１〜３により段階的に低下するように調整される。
【００５４】
以上のように本実施例によれば、光センサー４が所定の暗さを検出し電源切替手段１１の動作設定される時から電源がオフされるまでの間に、音量を時間の経過により段階的に低下させる音量調節手段１３と、映像を表示する表示部２の明るさを時間の経過により段階的に低下させる映像処理手段１３とを備えており、光センサー４が周囲の明るさを暗くなったと検出され、電源が電源切替手段１１により所定の時間に電源をオフするよう自動的に動作設定されると、テレビジョン受像機１の音量及び表示部２の明るさが、電源がオフされるまでの間段階的に低下されていくので、周囲が暗くなったときに電源をオフにする煩わしい設定をすることなく電源がオフされることで、電源の切り忘れを防止でき電気の無駄な消費を防止でき、明るさ及び音量の調整をすることなく、睡眠の妨げとなる音量及び明るさの変化に伴う睡眠の妨げを可及的軽減した状態で睡眠に入ることができるので利便性に優れる。
【００５５】
さらに、制御手段たるマイコン７と接続されたメモリー８に、光センサー４の所定の暗さを検出する明るさ検出値を、リモコン２０の操作キー２１の操作によりメモリー８にあらかじめ記憶させ、この記憶された明るさ検出値に基づいて、光センサー４が周囲の暗さを検出し、電源切替手段１１が動作設定され、テレビジョン受像機１の配置される周囲の明るさ環境などに対応させ、所望の暗さで電源をオフにすることが可能となる。
【００５６】
しかも、光センサー４は、テレビジョン受像機１の前部、両側部、及び上部に設けられており、これら複数の光センサー４の検出値を入力電圧平均回路５で平均させ、その平均値に基づいて電源切替手段１１が動作設定されるので、例えば、部屋の壁際や隅に配置されたテレビジョン受像機１の周囲の明るさの変化に影響されることなく、電源切替手段１１が所定の暗さで正常に動作設定され、テレビジョン受像機１の電源をオフにすることが可能となる。
【００５７】
また、音量調節手段１３により音量を時間の経過により段階的に低下される経過時間後における音量設定値ｖ１が数式１により算出される。
【００５８】
従って、テレビジョン受像機１の音量が、電源がオフされるまでの間、数式１により算出され時間の経過に伴い低下され、睡眠の妨げとなる音量の変化に伴う睡眠の妨げ要因を軽減させながら睡眠につくことができ、睡眠途中に目が覚め寝不足になることを解消することができる。
【００５９】
また、映像処理手段１２により表示部２の明るさを時間の経過により段階的に低下させる経過時間後における明るさ設定値ｂ１が数式２により算出される。
【００６０】
従って、睡眠の妨げとなる明るさの変化に伴う睡眠の妨げ要因を軽減させながら睡眠につくことができ、睡眠途中に目が覚め寝不足になることを解消することができる。
【００６１】
しかも、ユーザーが睡眠中にある際に、テレビジョン受像機１の電源を自動的にオフされるよう設定されるので、例えば、睡眠中にテレビジョン受像機１に電気的故障が生じてしまい、火災等の起こることを未然に回避できるので安全性に優れる。
【００６２】
以上、本発明の実施例を詳述したが、本発明は前記実施例に限定されるものではなく、本発明の要旨の範囲内で種々の変形実施が可能である。例えば、テレビジョン受像機１の操作はリモコン２０の操作キー２１により行われるが、操作キー２１に限定するものではなく、これに代えてテレビジョン受像機に設けられた種々の操作ボタンを用いてもよい。
【図面の簡単な説明】
【００６３】
【図１】本発明の一実施例のテレビジョン受像機を示す斜視図である。
【図２】同上、テレビジョン受像機の概略構成を示すブロック図である。
【図３】同上、表示部に表示されたメニュー画面を示す説明図である。
【図４】同上、表示部に表示された明るさセンサー設定画面を示す説明図である。
【図５】同上、表示画面の表示例を示す説明図である。
【図６】同上、音量／映像処理方法を示す説明図である。
【図７】同上、動作手順を示すフローチャート図である。
【符号の説明】
【００６４】
１  テレビジョン受像機
２  表示部
４  光センサー
５  入力電圧平均回路
７  マイコン（制御手段）
８  メモリー（記憶手段）
１１  電源切替手段
１２  映像処理手段
１３  音量調節手段
ｂ  動作設定時における明るさ設定値
ｂ１  電源切替手段の動作設定時からの経過時間後における明るさ設定値
ｔ  電源切替手段の動作設定時から電源がオフされるまでの設定時間
ｔ１  電源切替手段の動作設定時からの経過時間
ｔ２  設定時間ｔ／２からの経過時間
ｖ  電源切替手段の動作設定時における音量設定値
ｖ１  電源切替手段の動作設定時からの経過時間後における音量設定値
【図１】
2006129047.tif 000012
【図２】
2006129047.tif 000013
【図３】
2006129047.tif 000014
【図４】
2006129047.tif 000015
【図５】
2006129047.tif 000016
【図６】
2006129047.tif 000017
【図７】
2006129047.tif 000018